【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
樹脂フィルムと、
前記樹脂フィルム上に形成された撥水層と、
前記撥水層の面領域内に配置され、前記撥水層が有する撥水性に対して相対的に親水性を有するストライプ状パターン領域と、
前記ストライプ状パターン領域内に針状磁性体が配向し集合して形成された磁性体ストライプ状パターンとを備えた磁性体ストライプ状配列シート。
【請求項２】
前記ストライプ状パターン領域は、前記撥水層が平面形状においてストライプ状に欠如した領域である、請求項１に記載の磁性体ストライプ状配列シート。
【請求項３】
複数層積層された樹脂フィルムと、
各々の前記樹脂フィルム上に形成された撥水層と、
前記撥水層の面領域内に配置され、前記撥水層が有する撥水性に対して相対的に親水性を有するストライプ状パターン領域と、
前記ストライプ状パターン領域内に針状磁性体が配向し集合して形成された磁性体ストライプ状パターンとを備え、
各々の前記樹脂フィルム上には、互いに分離された複数条の前記磁性体ストライプ状パターンが形成され、
各々の前記樹脂フィルム上の前記磁性体ストライプ状パターンは、他の前記樹脂フィルム上の前記磁性体ストライプ状パターンと平面形状において互いに交差するように互いの配置関係が設定されている、ＲＦＩＤ（Radio Frequency Identification）システムに用いられるＲＦＩＤ磁性シート。
【請求項４】
互いに異なる層の前記樹脂フィルム上に各々形成された、第１の方向へ延びる前記磁性体ストライプ状パターンと、第２の方向へ延びる前記磁性体ストライプ状パターンとによって格子パターンが形成されている、請求項３に記載のＲＦＩＤ磁性シート。
【請求項５】
前記第１および第２の方向とは異なる第３の方向へ延びる磁性体ストライプ状パターンが形成された前記樹脂フィルムを更に含む、請求項４に記載のＲＦＩＤ磁性シート。
【請求項６】
請求項３に記載のＲＦＩＤ磁性シートと、
前記ＲＦＩＤ磁性シートに隣接して配置されたＲＦＩＤ用アンテナコイルと、
前記ＲＦＩＤ用アンテナコイルに接続されたＩＣチップとを備えた非接触型ＩＣカード。
【請求項７】
請求項３に記載のＲＦＩＤ磁性シートと、
前記ＲＦＩＤ磁性シートに隣接して配置されたＲＦＩＤ用アンテナコイルと、
前記ＲＦＩＤ用アンテナコイルに接続されたＩＣチップとを備えた、携帯用移動通信機器。
【請求項８】
樹脂フィルムと、
前記樹脂フィルム上に形成された撥水層と、
前記撥水層の面領域内に配置され、前記撥水層が有する撥水性に対して相対的に親水性を有するストライプ状パターン領域と、
前記ストライプ状パターン領域内に針状磁性体が配向し集合して形成された磁性体ストライプ状パターンとを備え、
前記ストライプ状パターン領域は、格子状に形成された格子状パターン領域であり、
前記格子状パターン領域内に針状磁性体が配向し集合して磁性体格子状パターンが形成された、ディスプレイに取り付けるための電磁遮蔽シート。
【請求項９】
請求項８に記載の電磁遮蔽シートがディスプレイパネルの前面に取り付けられたフラットパネルディスプレイ。
【請求項１０】
樹脂フィルム上に、撥水層及び前記撥水層の面領域内に配置され前記撥水層が有する撥水性に対して相対的に親水性を有するストライプ状パターン領域を形成する工程（ａ）と、
前記ストライプ状パターン領域に針状磁性体を含有する溶液を付与し、前記ストライプ状パターン領域内に針状磁性体を配向させ集合させて磁性体ストライプ状パターンを形成する工程（ｂ）とを含む、磁性体ストライプ状配列シートの製造方法。
【請求項１１】
前記ストライプ状パターン領域は、前記撥水層で囲まれ前記樹脂フィルムが露出した領域である、請求項１０に記載の磁性体ストライプ状配列シートの製造方法。
【請求項１２】
前記工程（ａ）は、
前記樹脂フィルムに、前記工程（ｂ）における溶液に対して撥水性を示す撥水層を形成する工程と、
前記ストライプ状パターン領域を規定するマスクを用いて、前記撥水層を露光することによって親水領域を形成する工程とを含む、請求項１０に記載の磁性体ストライプ状配列シートの製造方法。
【請求項１３】
前記工程（ａ）は、
露光により親水性に変化する表面を有するフィルムを、前記ストライプ状パターン領域を規定するマスクを用いて露光することによって親水領域を形成する工程を含む、請求項１０に記載の磁性体ストライプ状配列シートの製造方法。
【請求項１４】
前記工程（ｂ）は、
前記ストライプ状パターン領域が形成された前記樹脂フィルムの上に溶液を付与する工程と、
前記樹脂フィルム上に付与された前記溶液中に、前記針状磁性体を導入する工程とを含む、請求項１０に記載の磁性体ストライプ状配列シートの製造方法。
【請求項１５】
前記工程（ｂ）は、
前記溶液に前記針状磁性体を分散する工程と、
前記針状磁性体が分散された溶液を前記樹脂フィルム上に塗布する工程とを含む、請求項１０に記載の磁性体ストライプ状配列シートの製造方法。
【請求項１６】
前記工程（ｂ）において、前記針状磁性体は、前記ストライプ状パターン領域内で前記溶液の表面張力によって配列される、請求項１０に記載の磁性体ストライプ状配列シートの製造方法。
【請求項１７】
前記工程（ｂ）の後、前記磁性体ストライプ状パターンを他のフィルムに転写する工程を含む、請求項１０に記載の磁性体ストライプ状配列シートの製造方法。
【請求項１８】
前記工程（ａ）および（ｂ）を、ロール・ツー・ロール法によって連続して実行する、請求項１０に記載の磁性体ストライプ状配列シートの製造方法。
【請求項１９】
樹脂フィルム上に、撥水層及び前記撥水層の面領域内に配置され前記撥水層が有する撥水性に対して相対的に親水性を有するストライプ状パターン領域を形成する工程（ａ）と、
前記樹脂フィルム上に形成された前記ストライプ状パターン領域に、針状磁性体を含有する溶液を付与し、前記ストライプ状パターン領域内に針状磁性体を配向させ集合させて磁性体ストライプ状パターンを形成する工程（ｂ）と、
前記磁性体ストライプ状パターンが形成された前記樹脂フィルムを積層する工程（ｃ）とを含み、
前記工程（ａ）において、前記ストライプ状パターン領域を複数条、互いに分離された状態に形成し、
前記工程（ｃ）において、各々の前記樹脂フィルム上の前記磁性体ストライプ状パターンが、他の前記樹脂フィルム上の前記磁性体ストライプ状パターンと平面形状において互いに交差するように互いの配置関係を設定する、ＲＦＩＤ磁性シートの製造方法。
【請求項２０】
前記樹脂フィルムの積層体の平面形状において、第１の方向へ延びる前記磁性体ストライプ状パターンと、第２の方向へ延びる前記磁性体ストライプ状パターンとによって格子パターンが形成されるように前記積層体を形成する、請求項１９に記載のＲＦＩＤ磁性シートの製造方法。
【請求項２１】
樹脂フィルム上に、撥水層及び前記撥水層の面領域内に配置され前記撥水層が有する撥水性に対して相対的に親水性を有するストライプ状パターン領域を形成する工程（ａ）と、
前記樹脂フィルム上に形成された前記ストライプ状パターン領域に、針状磁性体を含有する溶液を付与し、前記ストライプ状パターン領域内に針状磁性体を配向し集合させて磁性体ストライプ状パターンを形成する工程（ｂ）とを含み、
前記工程（ａ）において、前記ストライプ状パターン領域を格子状に形成し、
前記工程（ｂ）において、前記格子状のストライプ状パターン領域内に前記針状磁性体を配向させ集合させて磁性体格子状パターンを形成する、電磁遮蔽シートの製造方法。
【手続補正２】
【補正対象書類名】明細書
【補正対象項目名】００３５
【補正方法】削除
【補正の内容】
【手続補正３】
【補正対象書類名】明細書
【補正対象項目名】００３６
【補正方法】削除
【補正の内容】
【手続補正４】
【補正対象書類名】明細書
【補正対象項目名】００３７
【補正方法】削除
【補正の内容】
【手続補正５】
【補正対象書類名】明細書
【補正対象項目名】００３８
【補正方法】削除
【補正の内容】
【手続補正６】
【補正対象書類名】明細書
【補正対象項目名】００３９
【補正方法】削除
【補正の内容】
【手続補正７】
【補正対象書類名】明細書
【補正対象項目名】００４０
【補正方法】削除
【補正の内容】
【手続補正８】
【補正対象書類名】明細書
【補正対象項目名】００４５
【補正方法】削除
【補正の内容】
【手続補正９】
【補正対象書類名】明細書
【補正対象項目名】００４６
【補正方法】削除
【補正の内容】
【手続補正１０】
【補正対象書類名】明細書
【補正対象項目名】００４７
【補正方法】変更
【補正の内容】
【００４７】
上記構成の電磁遮蔽シートがディスプレイパネルの前面に取り付けられたフラットパネルディスプレイを構成することができる。